(57)【特許請求の範囲】
【請求項１】
格子状構造物の開口に嵌合して固定される駒と、上記開口に嵌合して固定される駒に取着され、開口より突出して、被取付部材を止着する止具よりなる取付治具であって、前記駒が断面截頭三角形の嵌合孔を形成した駒本体と、該駒本体の嵌合孔に嵌合し、嵌合孔への押し込みにより駒本体を側方に拡開させて前記開口に固定させる楔体よりなり、前記止具が楔体に通され、駒本体より突出するボルトよりなる取付治具において、前記格子状構造物が成形品で、前記開口が型の抜き勾配を有して前記駒が開口の拡開側より挿入され、駒に通した前記ボルトが拡開側の開口に被せて取付けた押え部材に差し込まれ、該押え部材より突出する端部にナットが捩じ込まれることを特徴とする取付治具。
【請求項２】
格子状構造物の開口に嵌合して固定される駒と、上記開口に嵌合して固定される駒に取着され、開口より突出して、被取付部材を止着する止具よりなる取付治具であって、前記駒が弾性変形可能なゴム又は樹脂製で、圧縮することにより側方に膨出して前記開口に固定可能であり、前記止具が駒に通され、該駒より突出するボルトよりなる取付治具において、前記格子状構造物が成形品で、前記開口が型の抜き勾配を有して前記駒が開口の拡開側より挿入され、駒に通した前記ボルトが拡開側の開口に被せて取付けた押え部材に差し込まれ、該押え部材より突出する端部にナットが捩じ込まれることを特徴とする取付治具。
【発明の詳細な説明】
【技術分野】
【０００１】
本発明は、縦桟と横桟を縦横に組み合わせた格子状構造物、ハニカム構造物、多角形、円形、楕円形等の開口を縦横に形成した構造物、同心円状の環状枠を桟で放射状に連結した蜘蛛の巣状の構造物（本明細書では、これら構造物を代表して格子状構造物ということがあり、特許請求の範囲に記載される格子状構造物には、縦桟と横桟を縦横に組み合わせた格子状構造物のほか、ハニカム構造物や多角形、円形、楕円形等の開口を縦横に形成した構造物、蜘蛛の巣状構造物が含まれるものとする）への取付治具に関する。
【背景技術】
【０００２】
縦桟と横桟を縦横に組み合わせた格子状構造物は、溝蓋、通路、間仕切その他壁材等に広く用いられているほか、近年ではサンゴ幼生を着床させる海洋構造物としても用いられている（特許文献１）。
【先行技術文献】
【特許文献】
【０００３】
【特許文献１】特開２００９−７７６４９号
【発明の概要】
【発明が解決しようとする課題】
【０００４】
格子状構造物は従来、他の部材を取付けることなく、そのままの形態で、各種用途に用いられている。
本発明は、格子状構造物を、例えば通路に使用する場合、矢印等を表示した表示板を取付け、或いは間仕切り用壁材として用いる場合、書や絵画、或いは黒（白）板を掛けたり、クーラーやテレビ、照明等の電気製品を掛けることができるようにするため、更にはまた海洋構造物として用いる場合には、海藻やサンゴ等の苗を取付けることができるようにするための取付治具を提供することを目的とする。
【課題を解決するための手段】
【０００５】
請求項１に係る発明は、格子状構造物の開口に嵌合して固定される駒と、上記開口に嵌合して固定される駒に取着され、開口より突出して、被取付部材を止着する止具よりなる取付治具であって、前記駒が断面截頭三角形の嵌合孔を形成した駒本体と、該駒本体の嵌合孔に嵌合し、嵌合孔への押し込みにより駒本体を側方に拡開させて前記開口に固定させる楔体よりなり、前記止具が楔体に通され、駒本体より突出するボルトよりなる取付治具において、前記格子状構造物が成形品で、前記開口が型の抜き勾配を有して前記駒が開口の拡開側より挿入され、駒に通した前記ボルトが拡開側の開口に被せて取付けた押え部材に差し込まれ、該押え部材より突出する端部にナットが捩じ込まれることを特徴とする。
【０００６】
請求項２に係る発明は、格子状構造物の開口に嵌合して固定される駒と、上記開口に嵌合して固定される駒に取着され、開口より突出して、被取付部材を止着する止具よりなる取付治具であって、前記駒が弾性変形可能なゴム又は樹脂製で、圧縮することにより側方に膨出して前記開口に固定可能であり、前記止具が駒に通され、該駒より突出するボルトよりなる取付治具において、前記格子状構造物が成形品で、前記開口が型の抜き勾配を有して前記駒が開口の拡開側より挿入され、駒に通した前記ボルトが拡開側の開口に被せて取付けた押え部材に差し込まれ、該押え部材より突出する端部にナットが捩じ込まれることを特徴とする。
【発明の効果】
【０００９】
請求項１に係わる発明の取付治具によると、楔体を駒本体の嵌合孔に嵌合させて開口に嵌合した状態で楔体を駒本体内に押し込むと、駒本体が側方に拡開して開口に圧着し固定され、駒の固定がナットを押え部材上で該押え部材より突出するボルト端部に捩じ込み操作をするだけで容易に行えること、成形品よりなる格子状構造物は一般に成形時に型を抜くことが容易にできるようにするため、開口が抜き勾配を有しており、使用に際しては、開口の拡開側が表向きないし上向きにされることが多々あるが、本発明の取付金具によると、取付金具を表向きないし上向きをなす格子状構造物の裏側や下側に回りこまなくても表側或いは上側から取付けることができ、取付金具の取付けが容易に行えることなどの効果を有し、格子状構造物の開口に駒を嵌合して固定したのちには、駒に取着されて開口より突出するボルトのネジ部に被取付部材、例えば書、絵画、黒（白）板、クーラーやテレビ、照明等の電気製品、海藻やサンゴ等の苗を植え付ける取付板を取着することができる。
。
【００１０】
請求項２に係わる発明の取付金具によると、駒を開口に嵌合した状態で駒を圧縮すると、該駒が側方に膨出して開口に圧着して固定され、駒の固定がナットを押え部材上で該押え部材より突出するボルト端部に捩じ込み操作をするだけで容易に行えること、成形品よりなる格子状構造物は一般に成形時に型を抜くことが容易にできるようにするため、開口が抜き勾配を有しており、使用に際しては、開口の拡開側が表向きないし上向きにされることが多々あるが、本発明の取付金具によると、取付金具を表向きないし上向きをなす格子状構造物の裏側や下側に回りこまなくても表側或いは上側から取付けることができ、取付金具の取付けが容易に行えることなどの効果を有し、格子状構造物の開口に駒を嵌合して固定したのちには、駒に取着されて開口より突出するボルトのネジ部に被取付部材、例えば書、絵画、黒（白）板、クーラーやテレビ、照明等の電気製品、海藻やサンゴ等の苗を植え付ける取付板を取着することができる。
【図面の簡単な説明】
【００１４】
【図１】本発明に係わる取付治具の斜視図。
【図２】図１に示す取付治具を格子状構造物の開口に取付けた断面図。
【図３】同取付治具を取付けた格子状構造物の要部の斜視図。
【図４】取付治具を取付けた格子状構造物の一使用例を示す斜視図。
【図５】取付治具の別の例の分解斜視図。
【図６】図５に示す取付治具の取付態様を示す断面図。
【図７】図５に示す取付治具の別の取付態様を示す断面図。
【図８】別の取付治具の取付態様を示す断面図。
【図９】図５に示す取付治具の別の取付態様を示す断面図。
【図１０】図５に示す取付治具の更に別の取付態様を示す断面図。
【図１１】図８に示す取付治具の別の取付態様を示す断面図。
【図１２】格子状構造物の別の例を示す斜視図。
【図１３】格子状構造物の更に別の例を示す斜視図。
【発明を実施するための形態】
【００１５】
以下、本発明の実施形態の取付治具について図面により説明する。
図１に示す取付治具１は、両側に脚２を備えた断面が略ホッチキスの針状或いは略倒コ字形をなす硬質樹脂又は鋼製の駒３を有し、該駒３には取付板４が駒３の両側にせり出して固着され、中央には駒３と取付板４を貫通するボルト通し孔５が形成されており、該ボルト通し孔５に前記駒３と共に取付治具１を構成する止具としてのボルト６が下側から挿入され（図２）、取付板４より突出するボルト６に図３に示すナット７が捩じ込まれてボルト６を固定できるようにしてある。
【００１６】
図３に示す格子状構造物９は、縦桟９ａと横桟９ｂを縦横に組合わせた構造をなす、例えばＦＲＰ製の成形品よりなるもので（ＦＲＰ以外の成形品であってもよいし、鋼その他の金属製であってもよい）、取付治具１を組付けるときには、格子状構造物９の所要の開口９ｃに図２の上方より取付治具１を脚２から挿入する。
【００１７】
脚２は図１及び図１及び図２に示すように、先細りのテーパに形成され、しかも開口９ｃは横断面が上端に向かって漸次拡大する抜き勾配（格子状構造物９を成形する際、型を抜き易くするために形成される）を有していることから、脚先は開口９ｃ上端に挿入可能となっている。
【００１８】
脚２を脚先から開口９ｃに挿入すると、やがて脚２が開口９ｃを形成する桟９ａ又は９ｂに支えるが、そのまま更に強く押込むと、両脚２が互いに内向きに変形しながら押込まれる。そしてその弾発力で桟９ａ又は９ｂに弾着し固定される。脚２の押込みは、取付板４が開口９ｃのエッジに当たるまで行われ、駒３よりせり出す取付板４が開口９ｃのエッジに当たると、取付板４がストッパーとなってそれ以上の押込みが阻止される。
【００１９】
駒３が開口９ｃに固定されたのち、前述するようにボルト６がボルト通し孔５に通され、ナット７の捩じ込みにより固定される（図３）。
【００２０】
図１に示す実施形態の取付治具１は、以下の実施形態に示す取付治具と同様、図２及び図３とは上下を逆にした格子状構造物９の開口９ｃに図の上方より押込んで取付けることも可能である。
【００２１】
格子状構造物９が間仕切りなどの壁面に使用され、書、絵画、黒（白）板、電気製品などの被取付部材を取付けるときには、立て掛けた格子状構造物９の所要の開口９ｃに取付けた取付治具１の開口９ｃより突出するボルト６に図示しない取付金具を解して被取付部材を取付ける。
【００２２】
格子状構造物９が通路に使用され、矢印などを表示した表示板よりなる被取付部材を取付けるときには、通路に配置した格子状構造物９の所要の開口９ｃに取付けた取付治具１のボルト６に前記被取付部材である表示板が取付けられる。この場合、ボルト６は表示板上から取付板４及び駒３に通され、駒内でナットを捩じ込み締着する。この場合、取付板４を取除き、前記表示板を取付板４に代えて取付けるのが望ましい。
【００２３】
本実施形態によると、格子状構造物９に矢印などの表示を直接表示するよりも長期間消えることはなく、確実に表示することができる。
【００２４】
格子状構造物９を海洋構造物として使用し、海藻やサンゴ等の苗を取り付けるときには、格子状構造物９を例えば図４に示すように前後左右に連結し、各構造物９に取付けた取付治具１の取付板４上に前記苗を取付けた被取付部材である取付板８を取付けるか、或いは前記取付板８を取付板４に代えて駒３上に取付ける（図３）。これら取付板４、８には１ないし複数の孔を形成し、サンゴ等の苗を差込んで取り付けるようにしてもよい。
【００２５】
図５に示す取付治具１１は、四隅を面取りし、中央に下面より略四角錐の形態をなす嵌合孔１２を形成すると共に、四隅の面取り部分にそれぞれ嵌合孔１２に通ずるスリット１３を形成した、横断面が上端に向かって漸減する角ブロック状の駒本体１４と、前記嵌合孔１２の勾配とほぼ同じ勾配を有する截頭四角錐の形態をなし、前記嵌合孔１２に嵌挿可能で、中央にボルト頭部が嵌着される凹所１５と、該凹所１５に通ずるボルト通し孔１６を形成した楔体１７よりなり、駒本体１４及び楔体１７は共に、前記駒３と同様、硬質樹脂又は鋼製となっている。
【００２６】
取付治具１１を格子状構造物９の開口９ｃに取付けるときには、駒本体１４の嵌合孔１２に楔体１７を嵌挿すると共に、楔体１７に下側からボルト１９を通し、かつボルト１９の突出端に押え部材としての押え板１８を差込み、ついでナット２０を捩じ込んで押え板１８を抜け止めした状態で、全体を前記開口９ｃに上側から挿入する。
【００２７】
格子状構造物９が成形品である場合、前記開口９ｃは成形時の型抜きを容易にするため、抜き勾配を有しており、開口９ｃの拡開側を図示するように上向きにした場合、前記開口９ｃは下端に向かって窄まった形態をなしているため、駒本体１４を挿入すると、やがて開口下端部に接触し、更に押え板１８を介して押込み、押え板１８が開口端に達すると、ナット２０をレンチ等の工具を用いて捩じ込み操作する。これによりボルト１９が楔体１７と共に持上げられ、楔体１７の上昇に伴い、その楔作用により駒本体１４が側方に押し拡げられ、格子状構造物９の開口９ｃを形成する桟９ａ及び９ｂに圧着し固定される（図６）。
【００２８】
図７に示す実施形態においては、図６に示す押え板１８に代えてナット２０を回動操作する工具が入るほどの凹所２１を有する押え部材としての押え板２２が用いられ、ナット２０が凹所２１内に納まって突出しないようにされている。
【００２９】
図８に示す取付治具３１は、弾性変形可能なゴム又は樹脂で、中心にボルト通し孔を有し、格子状構造物９の開口９ｃに取付けるときには、前記ボルト通し孔にボルト３３を通したのち、上方に突出するボルト端部に押え板３２を差込み、ついでナット３４を捩じ込んで仮止めした状態で、全体を前記開口９ｃに上側から押え板３２が開口端に達するまで押込んで挿入する。ついでナット３４を捩じ込み締着する。ナット３４の捩じ込みに伴い、取付治具３１が圧縮されて側方に膨らみ、桟９ａ、９ｂに圧着し固定される。
【００３０】
図６〜図８に示す前記各実施形体において、取付金具１１、３１はボルト１９、３３及び押え板１８、２２、３２を含む全体がナット２０、３４で仮止めされた状態で格子状構造物９の開口９ｃに上側から挿入されるようになっており、取付治具１１、３１を格子状構造物９の上側からの作業のみで取付けることができるようになっているが、取付金具の一部、例えば図６及び図７に示す駒本体１４を先に開口９ｃに上側から挿入したのち、ボルト１９を通した楔体１７を開口９ｃの下方から駒本体１４の嵌合孔１２に嵌挿し、ついで上方に突出するボルト端部に押え板１８、２２を差込み、ナット２０を捩じ込んで締着することもでる。また図８に示す取付治具３１では、ボルト３３を通した取付治具３１を開口９ｃに上側から挿入したのち、取付治具３１から突出するボルト端部に押え板３２を差込み、ついでナット３４を捩じ込んで締着することもできる。
【００３１】
取付治具１、１１、３１はまた、図９〜図１１に示すように、上下逆向きにした格子状構造物９の開口９ｃに下側から挿入して取付けることも可能である。すなわち図９においては、例えば駒本体１４を嵌合孔１２に楔体１７を嵌挿した状態で開口９ｃに下側から挿入する。ついで開口９ｃの上面に押え部材としての押え板１８を載置したのち、楔体１７のボルト通し孔１６及び前記押え板１８にボルト１９を通し、ボルト頭部１９ａを楔体１７の凹所１５に納める。そして押え板１８から突出するボルト端部にナット２０を捩じ込み締着する。ナット２０の捩じ込みに伴い楔体１７が押し上げられ、その楔作用により駒本体１４が側方に押し拡がって開口９ｃを形成する桟９ａ及び９ｂに圧着し、固定される。
【００３２】
図１０に示す取付金具１１も図９と同様の方法によって格子状構造物９の開口９ｃに取付けられる。
【００３３】
図１１においては、開口９ｃに下側から取付治具３１を挿入し、ついでボルト３３を取付治具３１のボルト通し孔に通し、取付治具３１より突出するボルト端部に押え板３２を差込み、ついでナット３４を捩じ込んで締着する。ナット３４の捩じ込みにより前述するように取付金具３１が圧縮されて側方に膨らみ、固定される。
【００３４】
図６〜図１１に示すように、取付治具１１、３１を取付けた格子状構造物９は前記と同様にして使用され、各取付治具１１、３１のボルト１９、３３に前述の被取付部材が同様にして取付けられる。
【００３５】
前記各実施形態では止具としてボルト６、１９、３３を示したが、図２、図６〜図１１に示すボルト６、１９、３３において、取付板４及び押え板１８、３２からの突出部分をフックとし、下端のボルト頭部に代えて形成されるボルト６、１９、３３のネジ部にナットを捩じ込んで固定するようにしてもよい。この場合、被取付け部材は、フックに直接或いは取付金具を介して取付けられる。
【００３６】
前記実施形態では、格子状構造物９として、縦桟９ａと横桟９ｂを縦横に組合わせたものを例示したが、ハニカム構造物、多角形、円、その他任意形状の開口を縦横に形成した構造物、図１２及び図１３に示すような蜘蛛の巣状構造物とすることもでき、取付治具は各構造物の各種開口に嵌挿して固定することができる形状に形成される。
【００３７】
前記実施形態の格子状構造物９は成形品で、開口９は成形時の型を容易に抜くことができるようにするために抜き勾配を有しているが、開口が抜き勾配を有していない格子状構造物９、例えば鋼等の金属製で、桟９ａ、９ｂが溶接にて固着される格子状構造物にも前記各実施形態の取付治具１、１１、３１を前記と同様にして取り付けることができる。
【符号の説明】
【００３８】
１、１１、３１・・取付治具
２・・脚
３・・駒
４、８・・取付板
５、１６・・ボルト通し孔
６、１９、３３・・ボルト
７、２０、３４・・ナット
９・・格子状構造物
９ａ、９ｂ・・桟
９ｃ・・開口
１２・・嵌合孔
１３・・スリット
１４・・駒本体
１５、２１・・凹所
１７・・楔体
１８、３２・・押え板
【図１】
0005584007.tif 000002
【図２】
0005584007.tif 000003
【図３】
0005584007.tif 000004
【図４】
0005584007.tif 000005
【図５】
0005584007.tif 000006
【図６】
0005584007.tif 000007
【図７】
0005584007.tif 000008
【図８】
0005584007.tif 000009
【図９】
0005584007.tif 000010
【図１０】
0005584007.tif 000011
【図１１】
0005584007.tif 000012
【図１２】
0005584007.tif 000013
【図１３】
0005584007.tif 000014